【手続補正書】
【提出日】平成27年5月18日(2015.5.18)
【手続補正１】
【補正対象書類名】明細書
【補正対象項目名】０００４
【補正方法】変更
【補正の内容】
【０００４】
一方、従来技術として、例えば、特許文献１に記載されているような方法で適正露出値に対する補正量を求めるものがある。この方法では、まず、画面全体を複数のエリアに分割した複数のエリアのうち、白色を代表色とする白色エリアを判別し、画面全体における白色エリアの個数に応じて白色エリアの全体に対する占有度を求める。そして、求めた全体に対する占有度と露出補正量の最大値とを乗算して、適正露出値に対する補正量を求める。
【手続補正２】
【補正対象書類名】明細書
【補正対象項目名】０００６
【補正方法】変更
【補正の内容】
【０００６】
しかしながら、色味を大きく変化させる画質変更効果を持つ画質変換フィルタを用いる場合のように、意図的にホワイトバランスを大きくずらすことがある。また、ユーザによる画質設定において意図的にホワイトバランスを大きくずらしたり、オートホワイトバランス補正制御において大きくホワイトバランスがずれてしまっている場合がある。このような通常とは異なりホワイトバランスが白色から大きくずれているような場合にＮＡＭ評価値を用いると、色味の影響を受け、通常の適正な露出制御から大きくずれてしまう。
【手続補正３】
【補正対象書類名】明細書
【補正対象項目名】０００７
【補正方法】変更
【補正の内容】
【０００７】
また、特許文献１に記載されている上述した方法では、白色エリアが存在することを前提としており、画質変更効果等により画面全体が有彩色となる場合には、効果的ではない。
【手続補正４】
【補正対象書類名】明細書
【補正対象項目名】０００９
【補正方法】変更
【補正の内容】
【０００９】
本発明は上記問題点を鑑みてなされたものであり、撮像装置における画質変更処理や、オートホワイトバランス等の自動補正処理の性能の良し悪しによる自動露出制御の性能変化を軽減し、自動露出制御の性能を向上することを目的とする。
【手続補正５】
【補正対象書類名】明細書
【補正対象項目名】００１０
【補正方法】変更
【補正の内容】
【００１０】
上記目的を達成するために、本発明の撮像装置は、被写体像を映像信号に変換して出力する撮像手段と、前記撮像手段から出力された前記映像信号に対して、ホワイトバランス補正処理を含む自動補正処理を行う自動補正手段と、前記自動補正手段により自動補正処理された前記映像信号に対して、ユーザにより指示された画質変更効果を得るための画質変更理を行う画質変更処理手段と、前記画質変更処理手段により画質変更処理された前記映像信号のＲ信号、Ｇ信号、Ｂ信号のうち、最大値を示す第１の評価値を求める第１の評価値検出手段と、前記画質変更処理手段により画質変更処理された前記映像信号の輝度を示す第２の評価値を検出する第２の評価値検出手段と、前記画質変更処理手段が前記映像信号に対して行った前記画質変更処理に係る画質変更効果の量と、前記自動補正手段が前記映像信号に対して行った自動補正処理の信頼度の少なくともいずれか一方に応じて、前記第１の評価値と前記第２の評価値との加重平均により制御評価値を算出し、該制御評価値に基づいて、露出制御を行う露出制御手段とを有し、前記露出制御手段は、前記画質変更効果の量が大きいほど、前記第２の評価値に対する重みを相対的に大きくし、前記信頼度が低いほど、前記第２の評価値に対する重みを相対的に大きくすることを特徴とする。
【手続補正６】
【補正対象書類名】明細書
【補正対象項目名】００１１
【補正方法】変更
【補正の内容】
【００１１】
本発明によれば、撮像装置における画質変更処理や自動補正処理の性能の良し悪しによる自動露出制御の性能変化を軽減し、自動露出制御の性能を向上することができる。
【手続補正７】
【補正対象書類名】明細書
【補正対象項目名】００１５
【補正方法】変更
【補正の内容】
【００１５】
マイクロコンピュータ１１０で信号処理が施された映像信号は、ＮＡＭ評価値検出部１０７、輝度評価値検出部１０８、フィルタ効果処理部１０９に送られる。フィルタ効果処理部１０９では、ユーザにより指示された画質変更効果を得るためのホワイトバランス、ブラックバランス、カラーバランスなどを含む画質変更処理を施すことができる。ここでは、ホワイトバランス、ブラックバランス、カラーバランスを意図的にずらすことで、ユーザにより指示されたように画像の色味を変化させることができる。
【手続補正８】
【補正対象書類名】明細書
【補正対象項目名】００２２
【補正方法】変更
【補正の内容】
【００２２】
続いて、マイクロコンピュータ１１０は、フィルタ効果処理部１０９が映像信号に対して行った画質変更処理によるホワイトバランスのずらし量ΔＷを算出する（Ｓ１０７）。そして、算出したホワイトバランスのずらし量ΔＷと、予め設定されているずらし量の閾値ＴＨ１（第１の閾値）とを比較する（Ｓ１０９）。ホワイトバランスのずらし量ΔＷが閾値ＴＨ１を下回った場合、マイクロコンピュータ１１０は、Ｓ１０３で検出したＮＡＭ評価値のみを用いて露出制御のための制御評価値を算出する（Ｓ１１０）。この場合、ＮＡＭ評価値の重みをｋ1、輝度評価値の重みをｋ2した場合の、ｋ1＝１、ｋ2＝０による加重平均として算出することができる。
【手続補正９】
【補正対象書類名】明細書
【補正対象項目名】００２８
【補正方法】変更
【補正の内容】
【００２８】
ここでは、映像信号に対する画質変更効果の量として、ホワイトバランスのずらし量である場合について説明した。しかしながら、本発明はこれに限るものではなく、画質変更効果の量としては、ホワイトバランスのずらし量の他に、ブラックバランスのずらし量、あるいは、カラーバランスのずらし量、あるいは、これら複数のずらし量の組み合わせを用いてもよい。
【手続補正１０】
【補正対象書類名】明細書
【補正対象項目名】００２９
【補正方法】変更
【補正の内容】
【００２９】
上記の通り本第１の実施形態によれば、画質変更処理が行われていない場合には、ＮＡＭ評価値のみを用いて露出制御を行うので、通常のＮＡＭ評価値のみを用いる自動露出制御と同等の性能の露出制御を行うことができる。一方、画質変更処理により、色味が変化している場合には、輝度評価値を用いる。このように、画質変換フィルタが用いられている場合に、その画質変更処理に伴う色味の変化に応じた、自動露出制御の性能変化を軽減することができるため、自動露出制御の性能向上を実現することができる。
【手続補正１１】
【補正対象書類名】明細書
【補正対象項目名】００３８
【補正方法】変更
【補正の内容】
【００３８】
なお、第１の実施形態で説明した画質変更処理に伴う露出制御の調整と、第２の実施形態で説明した自動補正処理の信頼度に伴う露出制御の調整を両方行っても良い。その場合、例えば、それぞれの制御により得られた制御評価値を単に平均したり、いずれかの制御評価値に重みを付けて加重平均するなどの処理を行えばよい。このようにして求めた制御評価値を用いることにより、画質変更処理に伴う色味の変化、および、自動で行われるホワイトバランス補正の性能の良し悪しによる、自動露出制御の性能変化を軽減することができる。
【手続補正１２】
【補正対象書類名】特許請求の範囲
【補正対象項目名】全文
【補正方法】変更
【補正の内容】
【特許請求の範囲】
【請求項１】
被写体像を映像信号に変換して出力する撮像手段と、
前記撮像手段から出力された前記映像信号に対して、ホワイトバランス補正処理を含む自動補正処理を行う自動補正手段と、
前記自動補正手段により自動補正処理された前記映像信号に対して、ユーザにより指示された画質変更効果を得るための画質変更処理を行う画質変更処理手段と、
前記画質変更処理手段により画質変更処理された前記映像信号のＲ信号、Ｇ信号、Ｂ信号のうち、最大値を示す第１の評価値を求める第１の評価値検出手段と、
前記画質変更処理手段により画質変更処理された前記映像信号の輝度を示す第２の評価値を検出する第２の評価値検出手段と、
前記画質変更処理手段が前記映像信号に対して行った前記画質変更処理に係る画質変更効果の量と、前記自動補正手段が前記映像信号に対して行った自動補正処理の信頼度の少なくともいずれか一方に応じて、前記第１の評価値と前記第２の評価値との加重平均により制御評価値を算出し、該制御評価値に基づいて、露出制御を行う露出制御手段とを有し、
前記露出制御手段は、前記画質変更効果の量が大きいほど、前記第２の評価値に対する重みを相対的に大きくし、前記信頼度が低いほど、前記第２の評価値に対する重みを相対的に大きくすることを特徴とする撮像装置。
【請求項２】
前記画質変更処理は、前記映像信号のホワイトバランス、ブラックバランス、カラーバランスのうち、少なくとも１つをずらす処理を含み、前記画質変更効果の量は、ホワイトバランスのずらし量、ブラックバランスのずらし量、カラーバランスのずらし量のうち、少なくとも１つを含むことを特徴とする請求項１に記載の撮像装置。
【請求項３】
前記自動補正処理の信頼度は、ホワイトバランス補正処理の信頼度であることを特徴とする請求項１または２に記載の撮像装置。
【請求項４】
前記露出制御手段は、前記画質変更効果の量が、予め設定されている第１の閾値を下回った場合に、前記第１の評価値の重みを１、前記第２の評価値の重みを０とし、前記画質変更効果の量が前記第１の閾値よりも大きい予め設定されている第２の閾値を上回った場合に、前記第１の評価値の重みを０、前記第２の評価値の重みを１とすることを特徴とする請求項１乃至３のいずれか１項に記載の撮像装置。
【請求項５】
前記露出制御手段は、前記自動補正処理の信頼度が、予め設定されている第４の閾値を上回った場合に、前記第１の評価値の重みを１、前記第２の評価値の重みを０とし、前記自動補正処理の信頼度が、前記第４の閾値よりも小さい予め設定されている第３の閾値を下回った場合に、前記第１の評価値の重みを０、前記第２の評価値の重みを１とすることを特徴とする請求項１乃至４のいずれか１項に記載の撮像装置。
【請求項６】
被写体像を映像信号に変換して出力する撮像手段と、前記撮像手段から出力された前記映像信号に対して、ホワイトバランス補正処理を含む自動補正処理を行う自動補正手段と、前記自動補正手段により自動補正処理された前記映像信号に対して、ユーザにより指示された画質変更効果を得るための画質変更処理を行う画質変更処理手段とを有する撮像装置における露出制御方法であって、
第１の評価値検出手段が、前記画質変更処理手段により画質変更処理された前記映像信号のＲ信号、Ｇ信号、Ｂ信号のうち、最大値を示す第１の評価値を求める第１の評価値検出工程と、
第２の評価値検出手段が、前記画質変更処理手段により画質変更処理された前記映像信号の輝度を示す第２の評価値を検出する第２の評価値検出工程と、
露出制御手段が、前記画質変更処理手段が前記映像信号に対して行った前記画質変更処理に係る画質変更効果の量と、前記自動補正手段が前記映像信号に対して行った自動補正処理の信頼度の少なくともいずれか一方に応じて、前記第１の評価値と前記第２の評価値との加重平均により制御評価値を算出する算出工程と、
前記露出制御手段が、前記算出工程で算出した前記制御評価値に基づいて、露出制御を行う露出制御工程とを有し、
前記算出工程では、前記画質変更効果の量が大きいほど、前記第２の評価値に対する重みを相対的に大きくし、前記信頼度が低いほど、前記第２の評価値に対する重みを相対的に大きくすることを特徴とする露出制御方法。